(57)【要約】【課題】  打ち玉の移動範囲を広げると共に確実に支持して、打鈴音を改善すると共に組立作業も容易に行うことを可能にしたモータベルを提供することにある。【解決手段】  回転シュモク２２は、遠心力で外方に移動可能な状態で且つ回転軸に対して傾斜可能な状態で打ち玉２４を支持する支持部２２ａと、打ち玉２４の表面に対面して打ち玉２４の表面方向への移動を規制する表面規制部２２ｂと、支持部２２ａの裏面側に突出して打ち玉２４の裏面方向への移動を規制する裏面側規制部２２ｃと、を備えている。リン２８に当たった打ち玉２４は、表裏面方向に跳ねて傾斜する。これにより、打ち玉２４が回転方向に摺動することは防止されて、澄んだ打鈴音を発生させる。打ち玉２４の傾斜角度は、表面側規制部２２ａと裏面側規制部２２ｃによって所定の範囲に規制される。【選択図】  図１
2008233375.tif 000002
【特許請求の範囲】
【請求項１】
モータの出力軸に固定された回転シュモクに可動するように取り付けられた打ち玉によりリンを叩打するモータベルであって、
前記回転シュモクは、該回転シュモクの回転により生じる遠心力によって外方に移動可能な状態で前記打ち玉を支持すると共に外方に移動した状態で回転軸に対して傾斜可能な状態で前記打ち玉を支持する支持部と、
前記打ち玉の表面に対面し前記打ち玉の表面方向への移動を規制して表面側への傾斜角度を設定する表面側規制部と、
前記支持部の裏面側に突出し前記打ち玉の裏面方向への移動を規制して裏面側への傾斜角度を設定する裏面側規制部と、を備えていることを特徴とするモータベル。
【請求項２】
前記表面側規制部は弾性を有し、前記打ち玉を前記支持部に取り付けるときに、前記表面側規制部を弾性変形させることで前記表面側規制部と前記支持部との間隔を拡大可能とすることを特徴とする請求項１記載のモータベル。
【請求項３】
前記裏面側規制部は、前記支持部の全長にわたって設けられ、該支持部を補強することを特徴とする請求項１又は２記載のモータベル。
【発明の詳細な説明】
【技術分野】
【０００１】
本発明は、アラーム報知機能を有する時計等に使用するモータベルに関するものであり、特に、澄んだ打鈴音を発生するものに関する。
【背景技術】
【０００２】
従来のこの種のモータベルは、図７乃至図１１に示すような、モータ６の出力軸６ａに固定された回転シュモク２に取り付けられた打ち玉４でリン８を叩打するものであった。この回転シュモク２は、板状の本体２ａと、その端部から表面側に突出する各一対の爪部２ｂを有している。また、リング状の打ち玉４は、回転シュモク２の爪部２ｂが打ち玉４内を通ってその表面に係合することにより、回転シュモク２の回転により生じる遠心力で外方に移動可能な状態で取り付けられている。
【０００３】
このモータベルの場合、回転シュモク２が回転すると、遠心力で打ち玉４が外方に移動し、近傍にあるリン８の表面に打ち玉４が当たることで打鈴音を発生する。このモータベルにおいては打ち玉４がリン８に当たるときの力により、リン８を叩いて澄んだ音を出す法線方向の力Ｆ１とリン８の接線方向の力Ｆ２が生じる。この力Ｆ１，Ｆ２により、打ち玉４は、リン８を叩くと共にリン８の外周面に沿って摺動するように移動する。このように打ち玉４がリン８の外周面に沿って摺動すると、澄んだ打鈴音は発生せず、ざら音と称されるやや濁った音が発生することがあった。
【０００４】
そこで、本願出願人においては、上記のような打ち玉４の摺動を防ぐため、接線方向に作用する力Ｆ２を他の方向に逃がすことで打鈴音の改善が図れると想定し、打ち玉４の動きを表裏方向（図７中上下方向）により自由に可動するように構成することを試みた。当初、打ち玉４に係合する爪部２ｂを延ばして打ち玉４の表裏方向への移動範囲を広げる変更を施したが、リン８を打つときの衝撃で打ち玉４が跳ね上がると、爪部２ｂから外れてしまうという問題が生じた。これに対処するため、爪部２ｂを大きく強固ににすることも考えられたが、これでは打ち玉４の取り付けが難しくなり、組立作業に大きな影響を与えるという別の問題が生じることになった。
【０００５】
上記段階を経て、打ち玉の移動範囲を広げると共に確実に支持するため、その表面方向からも支持するように構成することを考慮し、図１１に示すように、裏面側から打ち玉１４を支える支持枠１２ａと表面側から打ち玉１４を係止する係止部１２ｂを有する回転シュモク１２を用いた打鈴装置（例えば、特許文献１参照）を応用することを試みた。しかしながら、図１１に示す構造において打ち玉１４の移動範囲を広げると、リン１８に当たって跳ね返った打ち玉１４がめくれた状態になって、表側又は裏側にある係止部１２ｂや支持枠１２ａに引っ掛かり、動作しなくなるという問題が生じた。
【特許文献１】実開平５−１４９７６号公報
【発明の開示】
【発明が解決しようとする課題】
【０００６】
本発明が解決しようとする課題は、上記従来技術の問題点を解決し、打ち玉の移動範囲を広げると共に確実に支持して、打鈴音を改善すると共に組立作業も容易に行うことを可能にしたモータベルを提供することにある。
【課題を解決するための手段】
【０００７】
本発明のモータベルは、モータの出力軸に固定された回転シュモクに可動するように取り付けられた打ち玉によりリンを叩打するモータベルであって、前記回転シュモクが、該回転シュモクの回転により生じる遠心力によって外方に移動可能な状態で前記打ち玉を支持すると共に外方に移動した状態で回転軸に対して傾斜可能な状態で前記打ち玉を支持する支持部と、前記打ち玉の表面に対面し前記打ち玉の表面方向への移動を規制して表面側への傾斜角度を設定する表面側規制部と、前記支持部の裏面側に突出し前記打ち玉の裏面方向への移動を規制して裏面側への傾斜角度を設定する裏面側規制部と、を備えるものとなっている。また、前記表面側規制部は弾性を有し、前記打ち玉を前記支持部に取り付けるときに、前記表面側規制部を弾性変形させることで前記表面側規制部と前記支持部との間隔を拡大可能としている。また、前記裏面側規制部は、前記支持部の全長にわたって設けられ、該支持部を補強するものとなっている。
【発明の効果】
【０００８】
本発明のモータベルにおける打ち玉は、回転シュモクの支持部によって外方に移動可能な状態で且つ回転軸に対して傾斜可能な状態で支持され、表面側規制部と裏面側規制部によって表裏面側への傾斜角度が設定されている。これにより、打ち玉がリンに当たったときに、打ち玉が表面又は裏面方向に所定角度の範囲で跳ねてリンの接線方向の力を分散させ、濁った音の発生を防ぐことができる。
【０００９】
また、表面側規制部が弾性を有しているので、打ち玉の表面及び裏面側に移動範囲を規制する部分を設けても、打ち玉の取り付けを容易に行うことが可能となっている。特に、裏面側規制部を設けることで支持部を補強しているので、打ち玉を確実に支持しながら打ち玉の取り付けを容易にすることができる。
【発明を実施するための最良の形態】
【００１０】
本発明のモータベルにおける回転シュモクは、その回転により生じる遠心力で外方に移動可能な状態で且つ外方に移動した状態で回転軸に対して傾斜可能な状態で打ち玉を支持する支持部と、打ち玉の表面に対面して打ち玉の表面方向への移動を規制する表面規制部と、支持部の裏面側に突出して打ち玉の裏面方向への移動を規制する裏面側規制部と、を備えている。この回転シュモクに取り付けられた打ち玉は、回転シュモクが回転すると遠心力で外方に移動し、近傍に配置されたリンを叩打する。リンに当たった打ち玉は、その衝撃で、表裏面方向に跳ねて傾斜する。これにより、打ち玉が回転方向に摺動することは防止されて、澄んだ打鈴音を発生させることができる。打ち玉の傾斜角度は、表面側規制部と裏面側規制部によって所定の範囲に規制され、これによって打ち玉が支持部等に引っ掛かることを防止することができる。
【実施例】
【００１１】
図１は本発明の一実施例に係るモータベルの要部切断正面図、図２は図１に示すモータベルの回転シュモクと打ち玉の斜視図、図３は図２に示す回転シュモクと打ち玉の側面図、図４は図１に示すモータベルの回転シュモク、打ち玉及びモータの平面図、図５は図４に示すモータベルの回転シュモク及び打ち玉の底面図である。このモータベル２０は、回転シュモク２２と、この回転シュモク２２に取り付けられたリング状の打ち玉２４と、回転シュモク２２を回転駆動するモータ２６と、打ち玉２４により叩打されるリン２８と、から構成されている。
【００１２】
この回転シュモク２２は、合成樹脂等からなるものであって、端部が円弧状をなす細長い板状部材からなる支持部２２ａと、この支持部２２ａに対してリン２４の厚みの約２倍以上の間隔をあけて対面するように配設され且つ端部が円弧状をなす枠体からなる表面側規制部２２ｂと、支持部２２ａの裏面側に突出するリブ状の裏面側規制部２２ｃを備えている。支持部２２ａは、裏面中央にモータ２６の出力軸２６ａに固定される取付部２２ｅを有し、また端部付近の表面から突出する軸部２２ｄを有している。この軸部２２ｄは打ち玉２４の厚みの２倍程度の丈を有し、ここに打ち玉２４が遊びをもって掛けられて、回転シュモク２２の回転により生じる遠心力によって外方に移動可能な状態で打ち玉２４を支持すると共に、回転軸に対して傾斜可能な状態（図１中上下に傾斜可能な状態）で打ち玉２４を支持するものとなっている。また、表面側規制部２２ｂは、その材質によって弾性を有し、中央部が軸状の連結部２２ｆによって支持部２２ａに連結されており、軸部２２ｄに掛けられた打ち玉２４に対面し、特に跳ね上がって図１中上方に傾斜した打ち玉２４ａに端部２２ｇが当接してその傾斜角度を所定の範囲に規制するものとなっている。また、裏面側規制部２２ｃは、支持部２２ａの裏面から図中下方に突出しており、支持部２２ａの長手方向の全長にわたって設けられて支持部２２ａを補強すると共に、図１中下方に傾斜した打ち玉２４ｂに当接してその傾斜角度を所定の範囲に規制するものとなっている。
【００１３】
また、回転シュモク２２には、連結部２２ｆから短手方向に突出することで支持部２２ａと表面側規制部２２ｂを補強する補強リブ２２ｈが設けられている。
【００１４】
上記構成からなるモータベル２０において、モータ２６により回転シュモク２２を回転させると、軸部２２ｄに遊嵌された打ち玉２４は遠心力によって外方に移動する。この打ち玉２４が最も外方に移動した状態のときに、打ち玉２４の外方端がオーバーラップするようにリン２８が配置されており、これにより回転シュモク２２が回転すると打ち玉２４はリン２８を叩打する。このときに、リン２８に当たった衝撃によって打ち玉２４がはじかれるが、本実施例におけるモータベル２０では、軸部２２ｄが長く設定されており、打ち玉２４が図１中上下にも移動可能な状態にある。これにより、打ち玉２４はリン２８に当たると跳ねて図１中上方又は下方に傾斜することになる。打ち玉２４ａのように、その外方端が図１中上方を向くように傾斜する状態になると、表面側規制部２２ｂの端部２２ｇが打ち玉２４ａに当接して、それ以上打ち玉２４ａが傾くことを規制する。また、打ち玉２４ｂのように、その外方端が図１中下方を向くように傾斜する状態になると、裏面側規制部２２ｃの端部２２ｉが打ち玉２４ｂに当接して、それ以上打ち玉２４ｂが傾くことを規制する。これにより、打ち玉２４は一定角度の範囲にて自在に動くように規制され、その範囲内において動くことでリン２８の接線方向に作用する力を分散し、リン２８を摺るように移動して濁った打鈴音を発することを防いでいる。
【００１５】
本実施例においては、打ち玉２４が表裏方向に傾斜する角度を４０度前後に設定しているが、表面側規制部２２ｂと支持部２２ａとの間隔、あるいは裏面側規制部２２ｃが突出する高さ等を変えることで、その角度を任意に変更することが可能である。
【００１６】
また、上記のように打ち玉２４が表裏方向に傾斜する角度を規制すると、打ち玉２４が上方に大きく傾斜することで軸部２２ｄから外れたり、下方に大きく傾斜することで打ち玉２４の孔の内周面が支持部２２ａの端部に引っ掛かってしまうことを防いで、打ち玉２４を確実に支持することができる。
【００１７】
また、表面側規制部２２ｂは、軸部２２ｄに対面することで打ち玉２４が軸部２２ｄから抜脱することを防ぐように作用している。また、この表面側規制部２２ｂは弾性を有しているため、これを押し退けるようにして打ち玉２４を軸部２２ｄに取り付けることができ、これにより組立も容易に行うことが可能となっている。
【００１８】
一方、支持部２２ａは裏面側規制部２２ｃによって補強されているため、打ち玉２４が外方に移動したり傾斜して軸部２２ｄに力が加わっても、打ち玉２４を確実に支持することができるものとなっている。
【００１９】
尚、打ち玉２４は外方に移動可能で且つ一定範囲で傾斜可能のものであれば必ずしも円形のリング形状をなすものでなくても良い。
【００２０】
また、本実施例においては、図１に示すように、回転軸が垂直方向を向く状態（モータ２６の出力軸２６ａが図中上下方向を向く状態）で使用する場合だけでなく、図６に示すように、回転軸が水平を向く状態（モータ２６の出力軸２６ａが図中手前と奥を向く状態）で使用する場合にも、打ち玉２４の支持とその移動範囲の規制を適正に行うことができるので、全く同一の作用をなすと共に同一の効果を奏することになる。
【産業上の利用可能性】
【００２１】
本発明のモータベルは、澄んだ打鈴音を発生することができ、特にアラーム時計に使用することで優れた効果を生じるものであるが、取付方向を自由に設定することができるため、様々な取り付け方や使用状況に適応させることが必要な呼び鈴、警報機、警笛等にも利用可能である。
【図面の簡単な説明】
【００２２】
【図１】本発明の一実施例に係るモータベルの要部切断正面図である。
【図２】図１に示すモータベルの回転シュモクと打ち玉の斜視図である。
【図３】図２に示す回転シュモクと打ち玉の側面図である。
【図４】図１に示すモータベルの回転シュモク、打ち玉及びモータの平面図である。
【図５】図４に示すモータベルの回転シュモク及び打ち玉の底面図である。
【図６】図１に示すモータベルにおける回転シュモクの方向を変更した例を示す正面図である。
【図７】従来のモータベルの構造を示す部分切断正面図である。
【図８】図７に示すモータベルの回転シュモクと打ち玉の斜視図である。
【図９】図８に示す回転シュモクと打ち玉の側面図である。
【図１０】図７に示すモータベルの平面図である。
【図１１】従来の他のモータベルの構造を示す部分切断正面図である。
【符号の説明】
【００２３】
２，１２，２２    回転シュモク
２ａ    本体
２ｂ    爪部
４，１４，２４，２４ａ，２４ｂ    打ち玉
６，２６    モータ
６ａ，２６ａ  出力軸
８，１８，２８    リン
１２ａ    支持枠
１２ｂ    係止部
２０      モータベル
２２ａ    支持部
２２ｂ    表面側規制部
２２ｃ    裏面側規制部
２２ｄ    軸部
２２ｅ    取付部
２２ｆ    連結部
２２ｇ    端部
２２ｈ    補強リブ
２２ｉ    端部
【図１】
2008233375.tif 000003
【図２】
2008233375.tif 000004
【図３】
2008233375.tif 000005
【図４】
2008233375.tif 000006
【図５】
2008233375.tif 000007
【図６】
2008233375.tif 000008
【図７】
2008233375.tif 000009
【図８】
2008233375.tif 000010
【図９】
2008233375.tif 000011
【図１０】
2008233375.tif 000012
【図１１】
2008233375.tif 000013